(57)【要約】【課題】伝送路光ファイバの非線形性により線形中継距離が制限されるという欠点を解決する。【解決手段】波長多重の信号光を一括増幅する光増幅器と、この光増幅器の出力側に設置した波長選択型分波器と、この波長選択型分波器の出力側に設置した複数の伝送路光ファイバと、この伝送路光ファイバの出力側に設置した波長選択型合波器と、この波長選択型合波器の出力側に設置した波長多重の信号光を一括増幅する光増幅器とを備える。【選択図】  図２
2008042550.tif 000002
【特許請求の範囲】
【請求項１】
波長多重の信号光を出力する送信器内、あるいは、波長多重の信号光を線形中継する線形中継器内に設置した当該波長多重の信号光を一括増幅する光増幅器と、
この光増幅器の出力側に設置した波長選択型分波器と、
この波長選択型分波器の出力側に設置した複数の伝送路光ファイバと、
この伝送路光ファイバの出力側に設置した波長選択型合波器と、
この波長選択型合波器の出力側に設置した波長多重の信号光を入力する受信器内、あるいは、波長多重の信号光を線形中継する線形中継器内に設置した当該波長多重の信号光を一括増幅する光増幅器と
を備えたことを特徴とする光通信システム。
【請求項２】
前記波長選択型分波器がインタリーバであり、入力した信号光の等間隔に配置された波長チャネルを奇数および偶数チャネルに分波し、
前記波長選択型合波器がインタリーバであり、入力した信号光の奇数および偶数チャネルに分波された波長チャネルが等間隔配置となるように合波する
請求項１記載の光通信システム。
【請求項３】
前記波長選択型分波器が任意波長選択デバイスであり、入力した信号光の等間隔に配置された波長チャネルを複数の不等間隔配置に分波し、
前記波長選択型合波器が任意波長選択デバイスであり、入力した信号光の複数の不等間隔に配置された波長チャネルを等間隔配置に合波する
請求項１記載の光通信システム。
【請求項４】
前記波長選択型分波器が波長分割フィルタであり、入力した信号光を短波長および長波長チャネルに分波し、
前記波長選択型合波器が波長分割フィルタであり、入力した短波長および長波長チャネルの信号光を合波する
請求項１記載の光通信システム。
【請求項５】
前記短波長チャネルを伝送する伝送路光ファイバが、前記短波長チャネル帯域以外にゼロ分散波長を有するファイバであり、
前記長波長チャネルを伝送する伝送路光ファイバが、前記長波長チャネル帯域以外にゼロ分散波長を有するファイバである
請求項４記載の光通信システム。
【請求項６】
前記伝送路光ファイバと前記波長選択型合波器との間に設置した信号光と分布ラマン増幅励起光とを合波する合波器と、
前記励起光を出力する励起光源と
を備えた請求項１ないし５のいずれかに記載の光通信システム。
【請求項７】
複数の前記伝送路光ファイバの内、第一の伝送路光ファイバ内を伝播する信号光波長にラマン利得ピークを有する分布ラマン増幅用の励起光源と、
複数の前記伝送路光ファイバの内、第二の伝送路光ファイバ内を伝播する信号光波長にラマン利得ピークを有する分布ラマン増幅用の励起光源と
を備え、
前記合波器が波長分割フィルタである
請求項６記載の光通信システム。
【請求項８】
請求項１ないし７のいずれかに記載の光通信システムに適用され、
出力した波長多重の信号光を一括増幅する光増幅器と、
この光増幅器の出力側に設置した波長選択型分波器と
を備えた光送信器。
【請求項９】
請求項１ないし７のいずれかに記載の光通信システムに適用され、
中継する波長多重の信号光を一括増幅する光増幅器と、
この光増幅器の出力側に設置した波長選択型分波器と、
この光増幅器の入力側に設置した波長選択型合波器と
を備えた線形中継器。
【請求項１０】
請求項１ないし７のいずれかに記載の光通信システムに適用され、
受信した波長多重の信号光を一括増幅する光増幅器と、
この光増幅器の入力側に設置した波長選択型合波器と
を備えた光受信器。
【発明の詳細な説明】
【技術分野】
【０００１】
本発明は、光信号を、伝送路であるところの市中に敷設した光ファイバを用いて伝送する光通信システムに関する。
【背景技術】
【０００２】
波長多重の光通信システムで用いられる従来技術の伝送システムの構成例を図１に示す（例えば、非特許文献１参照）。図１は光増幅器を用いた光ファイバ多重（または空間多重）の線形中継システムを表しており、各伝送路光ファイバＦ１１、Ｆ１２およびＦ２１、Ｆ２２は、第ｎおよび第ｎ＋１の伝送路ファイバ区間（ｎは自然数）と、それら各伝送路光ファイバＦ１１、Ｆ１２およびＦ２１、Ｆ２２の前後の線形中継器としての光増幅器Ａ３０、Ａ３１、Ａ４０、Ａ４１、Ａ５０、Ａ５１とから構成されている。ここでは簡単のため、光ファイバ多重数が２の場合を示している。
【０００３】
この光通信システムでは、各伝送路光ファイバＦ１１、Ｆ１２およびＦ２１、Ｆ２２を伝送される波長多重（ＷＤＭ）の信号光波長は、主に光増幅器Ａ３０、Ａ３１、Ａ４０、Ａ４１、Ａ５０、Ａ５１の帯域あるいは伝送路光ファイバＦ１１、Ｆ１２およびＦ２１、Ｆ２２の種類などで決まり、例えば、分散シフトファイバを用いたＬ帯の伝送システムでは、Ｌ帯の１００ＧＨｚ間隔の波長である。したがって、各伝送路光ファイバＦ１１、Ｆ１２およびＦ２１、Ｆ２２は、基本的に同じ波長域および波長間隔で規定される波長多重の波長を有する。
【０００４】
【非特許文献１】Ｈ．Ｍａｓｕｄａ，Ｓ．Ｋａｗａｉ  ａｎｄ  Ｋ−Ｉ．Ｓｕｚｕｋｉ，“Ｏｐｔｉｃａｌ  ＳＮＲ  ｅｎｈａｎｃｅｄ  ａｍｐｌｉｆｉｃａｔｉｏｎ  ｉｎ  ｌｏｎｇ  ｄｉｓｔａｎｃｅ  ｒｅｃｉｒｃｕｌａｔｉｎｇ−ｌｏｏｐ  ＷＤＭ  ｔｒａｎｓｍｉｓｓｉｏｎ  ｅｘｐｅｒｉｍｅｎｔ  ｕｓｉｎｇ  １５８０ｎｍ  ｂａｎｄ  ｈｙｂｒｉｄ  ａｍｐｌｉｆｉｅｒ”，ＥＬＥＣＴＲＯＮＩＣＳ  ＬＥＴＴＥＲＳ  ４ｔｈ  Ｍａｒｃｈ  １９９９  Ｖｏｌ．３５  Ｎｏ．５，ｐｐ４１１−４１２
【発明の開示】
【発明が解決しようとする課題】
【０００５】
このような従来の光ファイバ通信システムでは、電気段終端の装置である送信器および受信器間の距離である線形中継距離は、伝送路光ファイバの非線形性に起因する信号光のチャネルあたりの光ファイバ入力パワー（Ｐｓｉｎ）限界によって、制限されてしまっている。
【０００６】
すなわち、光ファイバ非線形性が無ければ、Ｐｓｉｎを上げることにより、線形中継距離を伸張できるが、実際には、４光波混合（ＦＷＭ）やクロスフェーズ変調（ＸＰＭ）などの光ファイバ非線形性によりＰｓｉｎが制限され、線形中継距離が制限されている。したがって、その線形中継距離制限を克服する必要がある。
【０００７】
本発明は、このような背景の下に行なわれたものであって、上述したような要因により線形中継距離が制限されるという欠点を解決することができる光通信システムを提供することを目的とする。
【課題を解決するための手段】
【０００８】
本発明は、光通信システムであって、本発明の特徴とするところは、波長多重の信号光を出力する送信器内、あるいは、波長多重の信号光を線形中継する線形中継器内に設置した当該波長多重の信号光を一括増幅する光増幅器と、この光増幅器の出力側に設置した波長選択型分波器と、この波長選択型分波器の出力側に設置した複数の伝送路光ファイバと、この伝送路光ファイバの出力側に設置した波長選択型合波器と、この波長選択型合波器の出力側に設置した波長多重の信号光を入力する受信器内、あるいは、波長多重の信号光を線形中継する線形中継器内に設置した当該波長多重の信号光を一括増幅する光増幅器とを備えたところにある。
【０００９】
このように、光増幅器の出力光を分波して複数の伝送路光ファイバで伝送することにより、分波した個々の波長に対して非線形性による影響が最小となるような伝送路光ファイバを用いることができるので、伝送路光ファイバの非線形性に起因する光ファイバ入力パワーの制限が緩和されるため、光増幅器の出力を大きくすることができ、光増幅器の数を少なく、かつ、線形中継距離を長くすることができる。
【００１０】
例えば、前記波長選択型分波器がインタリーバであり、入力した信号光の等間隔に配置された波長チャネルを奇数および偶数チャネルに分波し、前記波長選択型合波器がインタリーバであり、入力した信号光の奇数および偶数チャネルに分波された波長チャネルが等間隔配置となるように合波する。
【００１１】
あるいは、前記波長選択型分波器が任意波長選択デバイスであり、入力した信号光の等間隔に配置された波長チャネルを複数の不等間隔配置に分波し、前記波長選択型合波器が任意波長選択デバイスであり、入力した信号光の複数の不等間隔に配置された波長チャネルを等間隔配置に合波する。
【００１２】
あるいは、前記波長選択型分波器が波長分割フィルタであり、入力した信号光を短波長および長波長チャネルに分波し、前記波長選択型合波器が波長分割フィルタであり、入力した短波長および長波長チャネルの信号光を合波する。このときに、例えば、前記短波長チャネルを伝送する伝送路光ファイバが、前記短波長チャネル帯域以外にゼロ分散波長を有するファイバであり、前記長波長チャネルを伝送する伝送路光ファイバが、前記長波長チャネル帯域以外にゼロ分散波長を有するファイバである。
【００１３】
あるいは、前記伝送路光ファイバと前記波長選択型合波器との間に設置した信号光と分布ラマン増幅励起光とを合波する合波器と、前記励起光を出力する励起光源とを備えることもできる。このときには、例えば、複数の前記伝送路光ファイバの内、第一の伝送路光ファイバ内を伝播する信号光波長にラマン利得ピークを有する分布ラマン増幅用の励起光源と、複数の前記伝送路光ファイバの内、第二の伝送路光ファイバ内を伝播する信号光波長にラマン利得ピークを有する分布ラマン増幅用の励起光源とを備え、前記合波器が波長分割フィルタである。
【００１４】
本発明を光送信器の観点から観ると、本発明は、本発明の光通信システムに適用され、出力した波長多重の信号光を一括増幅する光増幅器と、この光増幅器の出力側に設置した波長選択型分波器とを備えた光送信器である。
【００１５】
本発明を線形中継器の観点から観ると、本発明は、本発明の光通信システムに適用され、中継する波長多重の信号光を一括増幅する光増幅器と、この光増幅器の出力側に設置した波長選択型分波器と、この光増幅器の入力側に設置した波長選択型合波器とを備えた線形中継器である。
【００１６】
本発明を光受信器の観点から観ると、本発明は、本発明の光通信システムに適用され、受信した波長多重の信号光を一括増幅する光増幅器と、この光増幅器の入力側に設置した波長選択型合波器とを備えた光受信器である。
【発明の効果】
【００１７】
本発明によれば、従来技術で問題であった線形中継距離が制限されるという欠点が解決できる。その結果、光増幅器数を従来よりも少なくすることができる。
【発明を実施するための最良の形態】
【００１８】
以下、図面を用いて本発明の実施例を説明する。
【００１９】
（第一実施例）
第一実施例の光通信システムの構成を図２に示す。本実施例では、１芯の光ファイバの入出力を有する光増幅器Ａ１〜Ａ３の出力側に、インタリーバ分波器Ｄ１、Ｄ２を設置し、その分波器Ｄ１、Ｄ２の下流側に２芯の伝送路光ファイバ−１および−２を接続している。その２芯の伝送路光ファイバ−１および−２の信号光出力側には、インタリーバ合波器Ｍ１、Ｍ２が設置されている。
【００２０】
インタリーバ分波器Ｄ１、Ｄ２および合波器Ｍ１、Ｍ２は、入力２ポート、出力２ポートの方向性結合器を縦列に多段接続した構成を有する。また、インタリーバ分波器Ｄ１、Ｄ２および合波器Ｍ１、Ｍ２は、それぞれ、信号光チャネル（波長チャネル）を等間隔に分波および合波する。例えば、分波器Ｄ１、Ｄ２は、１００ＧＨｚ間隔のＷＤＭチャネル（図２で、λ１，λ２，λ３，…）を、２００ＧＨｚ間隔の奇数チャネル（図２で、λ１，λ３，λ５，…）と偶数チャネル（図２で、λ２，λ４，λ６，…）に分波する。
【００２１】
信号光帯域の例としては、光増幅器Ａ１〜Ａ３がＣ帯のエルビウム添加ファイバ増幅器（ＥＤＦＡ）、伝送路光ファイバ−１および−２が分散シフトファイバ（ＤＳＦ）のとき、約１５３０ｎｍ〜約１５６０ｎｍである。このとき、１００ＧＨｚの周波数間隔は、波長間隔換算で約０．８ｎｍである。従来技術の比較としては、本実施例では、インタリーバ分波器Ｄ１、Ｄ２および合波器Ｍ１、Ｍ２と２本の伝送路光ファイバ−１および−２を用いているが、図１の従来技術では、上記インタリーバ分波器Ｄ１、Ｄ２および合波器Ｍ１、Ｍ２と２本の伝送路光ファイバ−１および−２に置き換えて、１本の伝送路光ファイバＦ１１、Ｆ１２、Ｆ２１、Ｆ２２を用いている。
【００２２】
このとき、従来技術では、伝送路光ファイバ中でのＦＷＭやＸＰＭにより、Ｐｓｉｎはチャネルあたり約−１０ｄＢｍに限られている。一方、本実施例では、Ｐｓｉｎはチャネルあたり約−４ｄＢｍに設定可能である。ただし、それらのＰｓｉｎは、伝送路光ファイバ中での非線形効果により信号光時間波形の劣化が顕著になり始めるパワーである。したがって、インタリーバ分波器Ｄ１、Ｄ２および合波器Ｍ１、Ｍ２の挿入損失を無視すると、Ｐｓｉｎが約６ｄＢ向上するので、第ｎ区間の光増幅器出力の光信号対雑音比（光ＳＮＲ）の向上を得ることができる。
【００２３】
例えば、第ｎ区間の損失が同じ場合には、約６ｄＢの光ＳＮＲ向上が得られる。この光ＳＮＲ向上分は、線形中継距離伸張に用いることができる。例えば、約３倍の線形中継距離伸張が達成できる。また、一定の光ＳＮＲを仮定すれば、第ｎ区間の損失を約６ｄＢ増やすことができる。
【００２４】
一方、インタリーバ分波器Ｄ１、Ｄ２および合波器Ｍ１、Ｍ２の挿入損失を考慮した場合には、以下のようになる。まず、インタリーバ分波器Ｄ１、Ｄ２および合波器Ｍ１、Ｍ２の典型的な挿入損失は、約１ｄＢである。Ｐｓｉｎの確保に関しては、光増幅器Ａ１〜Ａ３の出力を、インタリーバ分波器Ｄ１、Ｄ２の挿入損失分である約１ｄＢ上げればよく、これは容易である。
【００２５】
また、インタリーバ合波器Ｍ１、Ｍ２の挿入損失により、線形中継器としての雑音指数が約１ｄＢ劣化し、光ＳＮＲが約１ｄＢ劣化する。したがって、トータルとしての光ＳＮＲ向上は約５ｄＢである。すなわち、Ｐｓｉｎが約６ｄＢ向上、光ＳＮＲが約５ｄＢ向上、第ｎ区間の損失が約５ｄＢ向上する。また、約２．５倍の線形中継距離伸張が達成できる。
【００２６】
図１１は、上記実施例および従来技術における入力信号光パワー（Ｐｓｉｎ）スペクトルを示しており、横軸に波長をとり、縦軸に信号光パワーをとる。また、図１２は、上記実施例および従来技術における光ＳＮＲスペクトルを示しており、横軸に波長をとり、縦軸に光ＳＮＲをとる。それらの図は、Ｐｓｉｎおよび光ＳＮＲ向上の様子を示している。上記の比較では、Ｐｓｉｎが約６ｄＢ向上、光ＳＮＲが約５ｄＢ向上している。
【００２７】
以上が、同じ光増幅器数で比べた場合の本実施例の従来技術に対する優位性である。また、図１の従来技術において、本実施例とほぼ同じ線形中継距離を得るには、以下の構成が必要となる。
【００２８】
すなわち、図１に示すＷＤＭシステム−１のチャネル配置を、上記２００ＧＨｚ間隔の奇数チャネルまたは偶数チャネルとし、また、ＷＤＭシステム−２のチャネル配置を、上記２００ＧＨｚ間隔の奇数チャネルまたは偶数チャネルとする。したがって、同じチャネル数を同じ線形中継距離伝送するために必要なファイバ数は、従来技術と本実施例とで同じである。同様に、必要な光増幅器数は、従来技術の方が、本実施例より２倍多く必要である。
【００２９】
したがって、本実施例は、システムコストや線形中継器設置スペース・消費電力の点で、従来技術に対して顕著な優位性を有している。
【００３０】
上記の例は、光増幅器Ａ１〜Ａ３がＣ帯のＥＤＦＡ、伝送路光ファイバ−１および−２がＤＳＦのときの例であるが、光増幅器がＬ帯のＥＤＦＡ、伝送路光ファイバがＤＳＦのときにも、同様の効果がある。また、光増幅器がＣ帯またはＬ帯のＥＤＦＡ、伝送路光ファイバがノンゼロＤＳＦ（ＮＺＤＳＦ）であってもよい。例えば、図３は、光増幅器がラマン増幅器Ｒ１〜Ｒ３、伝送路光ファイバ−１および−２がＮＺＤＳＦのときの例を示している。すなわち、本実施例は、一般に、光増幅器および伝送路光ファイバの種類を限定しない。
【００３１】
（第二実施例）
第二実施例のその１およびその２の光通信システムの構成を図４および図５にそれぞれ示す。本実施例のその１およびその２の光通信システムでは、それぞれ、１つの光増幅器Ａ１〜Ａ３に対して、２本および３本の伝送路光ファイバ−１〜−３を用いている。第一実施例と本実施例とでは以下の点が主に異なる。
【００３２】
すなわち、第一実施例では、信号チャネルの分波器Ｄ１、Ｄ２および合波器Ｍ１、Ｍ２にインタリーバを用い、信号チャネルは等間隔配置にて分波および合波を行っている。一方、本実施例のその１では、信号チャネルの分波器Ｄ１０−１、Ｄ１１−１および合波器Ｍ１０−１、Ｍ１１−１に、任意波長選択デバイス（ＷＳＳ）を用いている。ＷＳＳは例えばＭＥＭＳ型のものや、サーキュレータと複数のファイバグレーティングとを組み合わせたものがある。
【００３３】
光増幅器Ａ１〜Ａ３を伝播する等間隔配置の信号チャネルを、ＷＳＳ分波器Ｄ１０−１、Ｄ１１−１によって伝送路光ファイバ−１における不等間隔配置（不等間隔−１）と、伝送路光ファイバ−２における不等間隔−１の残りに分波する。不等間隔−１は、ＦＷＭにおける信号品質劣化を抑圧する配置であり、その残りである不等間隔−２は、ＦＷＭ抑圧効果は不等間隔−１より劣るが、等間隔配置より優れている。不等間隔−１では、ＦＷＭにより生じた雑音光の波長位置が、その不等間隔−１の信号光チャネルの波長位置と異なるような配置である。
【００３４】
したがって、上記波長配置（不等間隔−１および−２）により、ＦＷＭの抑圧を行なうことができ、Ｐｓｉｎを向上できる。信号光帯域および伝送路光ファイバの例としては、Ｃ帯およびＤＳＦである。
【００３５】
本実施例のその２では、入力１ポート、出力３ポートのＷＳＳ分波器Ｄ１０−２、Ｄ１１−２、および、入力３ポート、出力１ポートのＷＳＳ合波器Ｍ１０−２、Ｍ１１−２を用いている。まず、不等間隔−１を伝送路光ファイバ−１に割り振り、残りの信号チャネルを、ＦＷＭによる信号品質劣化が最小になるように、不等間隔−２および不等間隔−３に２分割して、それぞれ伝送路光ファイバ−２および−３に割り振る。不等間隔−２および不等間隔−３は、それぞれ、なるべく、不等間隔−１に近いようにして、ＦＷＭによる信号品質劣化を最小化する。本実施例のその１の不等間隔−２に比べ、本実施例のその２の不等間隔−２および−３の方が高いＦＷＭ抑圧効果を有するため、本実施例のその２の方が、Ｐｓｉｎの向上量を大きく取れるといった特徴がある。
【００３６】
（第三実施例）
第三実施例の光通信システムの構成を図６に示す。第一実施例と本実施例とは、以下の点が主に異なる。すなわち、第一実施例では、伝送路光ファイバ−１および−２が同種ファイバであったが、本実施例では異なる。すなわち、本実施例のシステムでは、各伝送路区間において、１．３ミクロンゼロ分散ファイバ（ＳＭＦ）およびＤＳＦを用いることができ、光増幅器Ａ１０〜Ａ１２はＣ帯とＬ帯の信号光を一括増幅できるＥＤＦＡないしラマン増幅器である。
【００３７】
本実施例の動作では、光増幅器Ａ１０、Ａ１１を出射した信号光を、波長分割フィルタ（ＷＤＭ）分波器Ｄ２０、Ｄ２１でＣ帯およびＬ帯に２分割する。その後、Ｃ帯の信号光をＳＭＦ、Ｌ帯の信号光をＤＳＦに導き伝送する。このとき、ＳＭＦのゼロ分散波長は１．３μｍであるので、Ｃ帯の外側であり、また、ＤＳＦのゼロ分散波長は１．５５μｍであるので、Ｌ帯の外側である。
【００３８】
したがって、各信号光の帯域において、ゼロ分散波長が、帯域外にあるので、ＦＷＭにおける信号品質劣化を抑圧することができる。伝送後のＣ帯およびＬ帯の信号光をＷＤＭ合波器Ｍ２０、Ｍ２１で合波し、後段の光増幅器Ａ１１、Ａ１２へ導く。このとき、Ｃ帯およびＬ帯の信号光ともに、ＦＷＭによる信号品質劣化が少ないため、高いＰｓｉｎを確保することができる。
【００３９】
（第四実施例）
第四実施例の光通信システムの構成を図７に示す。第一実施例と本実施例とは、以下の点が主に異なる。すなわち、本実施例では光増幅器Ａ２０〜Ａ２２はＣ帯のＥＤＦＡ、第ｎ区間で利用可能な伝送路光ファイバはＤＳＦ、第ｎ＋１区間で利用可能な伝送路光ファイバはＳＭＦとなっている。そこで、第ｎ区間で、２本の伝送路光ファイバに対して不等間隔−１および−２を用い、第ｎ＋１区間で、１本の伝送路光ファイバに対して等間隔波長配置を用いている。第ｎ＋１区間に関して、第一実施例では、２本の伝送路光ファイバを用いているが、本実施例では、１本の伝送路光ファイバを用いているという違いがある。したがって、本実施例の方が、用いる伝送路光ファイバの数が少なくて済むというメリットがある。
【００４０】
（第五実施例）
第五実施例の光通信システムの構成を図８に示す。第一実施例と本実施例とは、以下の点が主に異なる。すなわち、ラマン励起光源Ｌ１、Ｌ２を用いて伝送路光ファイバ中での分布ラマン増幅を用いている。この分布ラマン増幅により、線形中継器の等価雑音指数が低減され、インタリーバ合波器Ｍ１の挿入損失による雑音指数の影響を低減することができる。
【００４１】
（第六実施例）
第六実施例の光通信システムの構成を図９に示す。第五実施例と本実施例とは、以下の点が主に異なる。すなわち、本実施例では、光増幅器Ａ１０、Ａ１１はＣ＋Ｌ帯のＥＤＦＡまたはラマン増幅器、伝送路光ファイバはＮＺＤＳＦ、伝送路光ファイバ−１に対する信号光波長はＣ帯、伝送路光ファイバ−２に対する信号光波長はＬ帯である。
【００４２】
また、伝送路光ファイバ−１に対する分布ラマン用励起光源Ｌ１０はＣ帯用のもの、伝送路光ファイバ−２に対する分布ラマン用励起光源Ｌ１１はＬ帯用のものである。一方、第五実施例の手法では、伝送路光ファイバ−１と−２とに対する分布ラマン励起光源Ｌ１、Ｌ２は同じもの、すなわち、Ｃ＋Ｌ帯用である。
【００４３】
本実施例では、分布ラマン増幅の帯域を、第五実施例の場合（Ｃ＋Ｌ帯）に比べ約半分にでき、伝送路光ファイバ入力の分布ラマン励起光パワーが制限されている場合には、高いラマン利得が得られるというメリットがある。例えば、第五実施例の場合のラマン利得の信号帯域内最小値は８ｄＢであったが、本実施例におけるラマン利得の信号帯域内最小値は１４ｄＢであった。したがって、顕著なラマン利得向上と、光ＳＮＲ向上とが得られた。
【００４４】
（第七実施例）
第七実施例の光通信システムの構成を図１０に示す。第一実施例と本実施例とは、以下の点が主に異なる。すなわち、本実施例は、無中継伝送区間に対して適用されている。送信器ＴＸ内に設置した光増幅器Ａ１から出力した信号光は、この無中継伝送区間を伝送され、受信器ＲＸ内の光増幅器Ａ２に入力する。当該無中継伝送区間に対して、１芯の伝送路光ファイバを用いた場合に比べ、本実施例は、より高いＰｓｉｎが確保でき、無中継伝送距離の伸張を行なえる。
【産業上の利用可能性】
【００４５】
本発明によれば、光増幅器の出力光を複数の伝送路光ファイバで伝送することにより、光ファイバの非線形性に起因する光ファイバ入力パワーの制限が緩和されるため、光増幅器の出力を大きくすることができ、光増幅器の数を少なく、かつ、線形中継距離を長くすることができる。
【図面の簡単な説明】
【００４６】
【図１】従来技術の光通信システムの構成図。
【図２】第一実施例の光通信システムの構成図。
【図３】第一実施例のＮＺＤＳＦを用いた光通信システムの構成図。
【図４】第二実施例（その１）の光通信システムの構成図。
【図５】第二実施例（その２）の光通信システムの構成図。
【図６】第三実施例の光通信システムの構成図。
【図７】第四実施例の光通信システムの構成図。
【図８】第五実施例の光通信システムの構成図。
【図９】第六実施例の光通信システムの構成図。
【図１０】第七実施例の光通信システムの構成図。
【図１１】第一実施例および従来技術における入力信号光パワー（Ｐｓｉｎ）スペクトルを示す図。
【図１２】第一実施例および従来技術における光ＳＮＲスペクトルを示す図。
【符号の説明】
【００４７】
Ａ１〜Ａ３、Ａ１０〜Ａ１２、Ａ２０〜Ａ２２、Ａ３０、Ａ３１、Ａ４０、Ａ４１、Ａ５０、Ａ５１  光増幅器
Ｄ１、Ｄ２、Ｄ１０−１、Ｄ１０−２、Ｄ１１−１、Ｄ１１−２、Ｄ２０、Ｄ２１  分波器
Ｆ１１、Ｆ１２、Ｆ２１、Ｆ２２  伝送路光ファイバ
Ｌ１、Ｌ２、Ｌ１０、Ｌ１１  ラマン励起光源
Ｍ１、Ｍ２、Ｍ１０−１、Ｍ１０−２、Ｍ１１−１、Ｍ１１−２、Ｍ２０、Ｍ２１  合波器
Ｒ１〜Ｒ３  ラマン増幅器
ＴＸ  送信器
ＲＸ  受信器
【図１】
2008042550.tif 000003
【図２】
2008042550.tif 000004
【図３】
2008042550.tif 000005
【図４】
2008042550.tif 000006
【図５】
2008042550.tif 000007
【図６】
2008042550.tif 000008
【図７】
2008042550.tif 000009
【図８】
2008042550.tif 000010
【図９】
2008042550.tif 000011
【図１０】
2008042550.tif 000012
【図１１】
2008042550.tif 000013
【図１２】
2008042550.tif 000014